(57)【要約】【課題】  撮影と再生を同時に行える撮像装置で、撮影用と再生用にそれぞれ専用の操作部を設けなくてもよくする。【解決手段】  ユーザは、操作部４２のモードダイヤルで動作モードをＣＰＵ４０に指示する。操作部４２は、撮影モードと再生モードに兼用され、異なる指示を入力する兼用キーを具備する。撮影モードで動作中の再生モード動作の指示に対し、ＣＰＵ４０は、操作部４２の兼用キーの操作の解釈を再生モードの操作に切り替え、再生モードの終了の操作に応じて、兼用キーの操作の解釈を撮影モードの操作に戻す。また、再生モードで動作中の撮影モード動作の指示に対し、ＣＰＵ４０は、操作部４２の兼用キーの操作の解釈を撮影モードの操作に切り替え、撮影モードの終了の操作に応じて、兼用キーの操作の解釈を再生モードの操作に戻す。【選択図】  図１
2006261953.tif 000002
【特許請求の範囲】
【請求項１】
記録と再生を実質的に同時に実行可能な記録再生装置であって、
記録媒体と、
情報信号を前記記録媒体に記録する記録手段と、
前記記録媒体に記録される前記情報信号を再生する再生手段と、
記録モードでの操作と再生モードでの操作に兼用される操作部と、
前記記録モードと前記再生モードを指定するモード指定手段と、
前記記録手段及び前記再生手段を制御する制御手段であって、前記記録モードと前記再生モードの一方の動作モードでの動作中における、他方の動作モードの指定に応じて、前記操作部の操作の解釈を前記他方の動作モードの操作に切り替え、前記他方の動作モードの終了の操作に応じて、前記操作部の操作の解釈を前記一方の動作モードの操作に戻す制御手段
とを具備することを特徴とする記録再生装置。
【請求項２】
前記制御手段は、前記記録モードでの動作中における、前記再生モードの動作指定に応じて、前記操作部の操作の解釈を前記再生モードの操作に切り替え、前記再生モードの終了の操作に応じて、前記操作部の操作の解釈を前記記録モードの操作に戻し、そして、前記再生モードでの動作中における、前記記録モードの指定に応じて、前記操作部の操作の解釈を前記記録モードの操作に切り替え、前記記録モードの終了の操作に応じて、前記操作部の操作の解釈を前記再生モードの操作に戻すことを特徴とする請求項１に記載の記録再生装置。
【請求項３】
前記情報信号が、画像信号及び音声信号の少なくとも一方からなることを特徴とする請求項１又は２に記載の記録再生装置。
【請求項４】
前記記録媒体が、ランダムアクセス可能な記録媒体であることを特徴とする請求項１乃至３の何れか１項に記載の記録再生装置。
【請求項５】
記録媒体と、
情報信号を前記記録媒体に記録する記録手段と、
前記記録媒体に記録される前記情報信号を再生する再生手段と、
記録モードでの操作と再生モードでの操作に兼用される操作部と、
前記記録モードと前記再生モードを指定するモード指定手段
とを具備し、記録動作と再生動作を実質的に同時に実行可能な記録再生装置において、
前記記録モードと前記再生モードの一方の動作モードでの動作中において、他方の動作モードの指定を監視するステップと、
前記一方の動作モードでの動作中の、他方の動作モードの指定に応じて、前記操作部の操作の解釈を前記他方の動作モードの操作に切り替えるステップと、
前記一方の動作モードでの動作中の、前記他方の動作モードの終了の操作に応じて、前記操作部の操作の解釈を前記一方の動作モードの操作に戻すステップ
とを具備することを特徴とする記録再生装置の制御方法。
【請求項６】
前記一方の動作モードが前記記録モードであり、前記他方の動作モードが前記再生モードであり、
更に、
前記再生モードでの動作中において、前記記録モードの指定を監視するステップと、
前記再生モードの動作中の、前記記録モードの指定に応じて、前記操作部の操作の解釈を前記記録モードの操作に切り替えるステップと、
前記再生モードでの動作中の、前記記録モードの終了の操作に応じて、前記操作部の操作の解釈を前記再生モードの操作に戻すステップ
とを具備することを特徴とする請求項５に記載の記録再生装置の制御方法。
【請求項７】
前記情報信号が、画像信号及び音声信号の少なくとも一方からなることを特徴とする請求項５又は６に記載の記録再生装置の制御方法。
【請求項８】
前記記録媒体が、ランダムアクセス可能な記録媒体であることを特徴とする請求項５乃至７の何れか１項に記載の記録再生装置の制御方法。
【請求項９】
記録と再生を実質的に同時に実行可能な撮像装置であって、
記録媒体と、
撮像手段と、
音声入力手段と、
前記撮像手段により入力される画像及び前記音声手段により入力される音声を前記記録媒体に記録する記録手段と、
前記記録媒体に記録される前記画像及び音声を再生する再生手段と、
記録モードでの操作と再生モードでの操作に兼用される操作部と、
前記記録モードと前記再生モードを指定するモード指定手段と、
駆動電源となるバッテリと、
前記バッテリの残量を検出する残量検出装置と、
前記記録手段及び前記再生手段を制御する制御手段であって、前記記録モードと前記再生モードの一方の動作モードでの動作中における、他方の動作モードの指定に応じて、前記操作部の操作の解釈を前記他方の動作モードの操作に切り替え、前記他方の動作モードの終了の操作に応じて、前記操作部の操作の解釈を前記一方の動作モードの操作に戻す制御手段
とを具備することを特徴とする撮像装置。
【請求項１０】
前記制御手段は、前記記録モードでの動作中における、前記再生モードの動作指定に応じて、前記操作部の操作の解釈を前記再生モードの操作に切り替え、前記再生モードの終了の操作に応じて、前記操作部の操作の解釈を前記記録モードの操作に戻し、そして、前記再生モードでの動作中における、前記記録モードの指定に応じて、前記操作部の操作の解釈を前記記録モードの操作に切り替え、前記記録モードの終了の操作に応じて、前記操作部の操作の解釈を前記再生モードの操作に戻すことを特徴とする請求項９に記載の撮像装置。
【請求項１１】
前記記録媒体が、ランダムアクセス可能な記録媒体であることを特徴とする請求項９又は１０に記載の撮像装置。
【請求項１２】
前記制御手段は、前記バッテリ残量が所定値以下のとき、前記記録手段と前記再生手段の同時実行を禁止することを特徴とする請求項９乃至１１の何れか１項に記載の撮像装置。
【発明の詳細な説明】
【技術分野】
【０００１】
本発明は、記録再生装置及びその制御方法並びに撮像装置に関し、より具体的には、動画及び静止画の撮影中又は再生中にあっても、画像を記録媒体に記録可能な記録再生装置及びその制御方法並びに撮像装置に関する。
【背景技術】
【０００２】
近年、ディスクメディアである記録媒体が急速に大容量化し、音声のみならず映像信号をも長時間記録再生する装置が提案されている。この長時間記録再生する装置には、ＭＰＥＧ（Ｍｏｖｉｎｇ  Ｐｉｃｔｕｒｅ  Ｅｘｐｅｒｔｓ  Ｇｒｏｕｐ）等の高能率符号化処理に基づいた記録フォーマットを採用し、４Ｍｂｐｓ〜１０Ｍｂｐｓ程度の圧縮データレートで記録時間１時間以上のビデオカメラを実現し得る技術が民生レベルで展開している。
【０００３】
例えば、光磁気ディスクをビデオカメラに利用しているもので、大量な映像データを高密度に記録することが可能であり、高速でのランダムアクセスが可能なビデオカメラ装置が特許文献１に開示されている。
【０００４】
ランダムアクセスが可能という特徴を活かしたビデオカメラ、ビデオカメラの記録再生方法およびプログラムが特許文献２に開示されている。特許文献２に開示されている構成では、画像信号の記録中に記録媒体の任意位置に記録されている画像信号を再生する際に、記録される画像信号と再生される画像信号とをそれぞれ画像表示できる。
【特許文献１】特開平０７−２５５０２８号公報
【特許文献２】特開２００２−３１４９１６号公報
【発明の開示】
【発明が解決しようとする課題】
【０００５】
しかし、撮影画像のディスクへの記録と再生を同時に実行可能な従来のビデオカメラでは、撮影用と再生用にそれぞれ専用の操作部を設けなければならず、ビデオカメラ本体が大型化してしまう恐れがあった。
【０００６】
また、ビデオカメラで記録と再生を同時に行うと、消費電力が多くなることもある。ユーザは、消費電力が多くなることまで考慮して、ビデオカメラの操作はしない。そのため、直ぐにバッテリ残量がゼロになってしまい、記録と再生のどちらも中途半端な状態で終わってしまう恐れもあった。
【０００７】
そこで、本発明は、上記のような問題点を解決に鑑み、撮影用と再生用にそれぞれ専用の操作部を設けなくても、記録と再生を同時に行うことが可能な記録再生装置及びその制御方法並びに撮像装置を提示することを目的とする。
【課題を解決するための手段】
【０００８】
上記の目的を達成するために、本発明に係る記録再生装置は、記録と再生を実質的に同時に実行可能な記録再生装置であって、記録媒体と、情報信号を前記記録媒体に記録する記録手段と、前記記録媒体に記録される前記情報信号を再生する再生手段と、記録モードでの操作と再生モードでの操作に兼用される操作部と、前記記録モードと前記再生モードを指定するモード指定手段と、前記記録手段及び前記再生手段を制御する制御手段であって、前記記録モードと前記再生モードの一方の動作モードでの動作中における、他方の動作モードの指定に応じて、前記操作部の操作の解釈を前記他方の動作モードの操作に切り替え、前記他方の動作モードの終了の操作に応じて、前記操作部の操作の解釈を前記一方の動作モードの操作に戻す制御手段とを具備することを特徴とする。
【０００９】
本発明に係る記録再生装置の制御方法は、記録媒体と、情報信号を前記記録媒体に記録する記録手段と、前記記録媒体に記録される前記情報信号を再生する再生手段と、記録モードでの操作と再生モードでの操作に兼用される操作部と、前記記録モードと前記再生モードを指定するモード指定手段とを具備し、記録動作と再生動作を実質的に同時に実行可能な記録再生装置において、前記記録モードと前記再生モードの一方の動作モードでの動作中において、他方の動作モードの指定を監視するステップと、前記一方の動作モードでの動作中の、他方の動作モードの指定に応じて、前記操作部の操作の解釈を前記他方の動作モードの操作に切り替えるステップと、前記一方の動作モードでの動作中の、前記他方の動作モードの終了の操作に応じて、前記操作部の操作の解釈を前記一方の動作モードの操作に戻すステップとを具備することを特徴とする。
【００１０】
本発明に係る撮像装置は、記録と再生を実質的に同時に実行可能な撮像装置であって、記録媒体と、撮像手段と、音声入力手段と、前記撮像手段により入力される画像及び前記音声手段により入力される音声を前記記録媒体に記録する記録手段と、前記記録媒体に記録される前記画像及び音声を再生する再生手段と、記録モードでの操作と再生モードでの操作に兼用される操作部と、前記記録モードと前記再生モードを指定するモード指定手段と、駆動電源となるバッテリと、前記バッテリの残量を検出する残量検出装置と、前記記録手段及び前記再生手段を制御する制御手段であって、前記記録モードと前記再生モードの一方の動作モードでの動作中における、他方の動作モードの指定に応じて、前記操作部の操作の解釈を前記他方の動作モードの操作に切り替え、前記他方の動作モードの終了の操作に応じて、前記操作部の操作の解釈を前記一方の動作モードの操作に戻す制御手段とを具備することを特徴とする。
【発明の効果】
【００１１】
本発明によれば、記録と再生を同時に行える記録再生装置で、記録用と再生用にそれぞれ専用の操作部を設けなくてもよくなり、操作手段を低減し、装置の小型化と軽量化を図ることが出来る。
【発明を実施するための最良の形態】
【００１２】
以下、図面を参照して、本発明の一実施例を詳細に説明する。
【００１３】
図１は、本発明の一実施例であるビデオカメラの概略構成ブロック図を示す。図２は、本実施例の正面方向（被写体側）から見た斜視図を示し、図３は右側面図を示し、図４は後方（撮影者側）から見た斜視図を示す。
【００１４】
図１を参照して、本実施例の構成を説明する。ビデオカメラ本体１０は、フォーカス及びズーム等の光学制御系を含む光学レンズ群及び絞りからなるレンズ１２、ＣＣＤ（Ｃｈａｒｇｅ  Ｃｏｕｐｌｅｄ  Ｄｅｖｉｃｅ）撮像素子を含む撮像部１４、カメラ信号処理部１６、圧縮伸長処理部１８、記録再生処理部２０、表示部１２、メモリカード２４、ショックプルーフメモリ２６、ディスク制御部２８、ディスクメディア３０、マイクロフォン３２、音声信号処理部３４、メモリ３６、メモリ制御部３８、ＣＰＵ４０、操作部４２、デジタルＩ／Ｆ（インターフェース）４４、入出力部４６、データバス４８、並びに、電源制御部５２を具備する。これらの各機能ブロック１２〜４６，５２は、それぞれデータバス４８を介して接続されている。
【００１５】
メモリ３６は、データバス４８を介して各機能ブロックによりタイム・シェアリングで使用され、メモリ制御部３８により制御及び管理されている。中央演算処理回路（ＣＰＵ）４０は、所定のプログラムを実行すること等により、ビデオカメラ本体１０を統括制御する。
【００１６】
図３及び図４を参照して、操作部４２の機能を説明する。
【００１７】
操作部４２は、ダブルファンクションキー４２ａ−４２ｄ〜トリガーボタン４２ｍ等の操作キー、ボタン又はダイヤル等から構成されている。ユーザは、操作部４２の操作により、相応する動作をＣＰＵ４０に指示できる。
【００１８】
操作部４２のダブルファンクションキー４２ａ、４２ｂ、４２ｃ、４２ｄは、撮影モードと再生モードで異なる機能を割り当てられたダブルファンクションキー、即ち、撮影モードと再生モードで異なる操作に兼用されるキーである。
【００１９】
キー４２aは、撮影モードでは、被写体の明るさに応じて自動的にシャッタースピードを調整するナイトモードをＣＰＵ４０に指示するナイトモードキーとなり、再生モードでは、マイナス送りをＣＰＵ４０に指示するマイナス送りキーとなる。
【００２０】
キー４２ｂは、撮影モードでは、画像の白とび状況を把握するために縞状のパターンを出力するゼブラモードをＣＰＵ４０に指示するゼブラモードキーとなり、再生モードでは、プラス送りをＣＰＵ４０に指示するプラス送りキーとなる。
【００２１】
キー４２ｃは、撮影モードでは、マニュアルフォーカスへの切り替えをＣＰＵ４０に指示するマニュアルフォーカスキーとなり、再生モードでは、再生と一時停止をトグル動作でＣＰＵ４０に指示する再生／一時停止キーとなる。
【００２２】
キー４２ｄは、撮影モードでは、露出の切り替えをＣＰＵ４０に指示する露出キーとなり、再生モードでは、停止をＣＰＵ４０に指示する停止キーとなる。
【００２３】
インデックスボタン４２ｅは、表示部２２にインデックス画面を表示することをＣＰＵ４０に指示するのに使用される。スライドショーボタン４２ｆは、スライドショーの開始をＣＰＵ４０に指示するのに使用される。マニュアル／オートスイッチ４２ｇは、撮影モードでマニュアル／オートの切り替えをＣＰＵ４０に指示するのに使用される。デジタルエフェクトボタン４２ｈは、デジタルエフェクトの選択をＣＰＵ４０に指示するのに使用される。デジタルエフェクトオン／オフボタン４２ｉは、デジタルエフェクトのオン／オフをＣＰＵ４０に指示するのに使用される。
【００２４】
メニューボタン４２ｊは、メニューの表示をＣＰＵ４０に指示するのに使用される。マルチダイヤル４２ｋは、回転動作による各種選択及び押圧動作による決定をＣＰＵ４０に指示するのに使用される。
【００２５】
モードダイヤル４２ｌは、電源オフ、撮影モード及び再生モードの切り替えをＣＰＵ４０に指示するのに使用される。モードダイヤル４２ｌの電源オフは、ビデオカメラの主電源をオフにするモードであり、撮影モードは、撮影することを主目的としたモードであり、再生モードは、メモリカード２４又はディスクメディア３０に記録された画像データの再生、編集及び削除を目的とするモードである。
【００２６】
トリガーボタン４２mは、撮影のスタート／ストップをＣＰＵ４０に指示するのに使用される。トリガーボタン４２ｍは、撮影モードと再生モードで同じ機能に使用される。即ち、ＣＰＵ４０は、撮影モードでは、トリガーボタン４２mが押される都度、交互に記録開始と記録終了のイベントを発生し、再生モードでは、トリガーボタン４２ｍが押される都度、交互に記録開始と記録終了のイベントを発生する。
【００２７】
インデックスボタン４２eを押したときの動作を説明する。ユーザがインデックスボタン４２eを押すと、図５に示すように、操作部４２にある液晶パネル２２a又はＥＶＦ（電子ビューファインダ）２２ｂにインデックス画面２００が表示される。このインデックス画面２００には、ビデオクリップ１〜６が最大、６つ同時に表示される。ビデオクリップは、撮影モード時にトリガーボタン４２mが押されると記録が開始し、再びトリガーボタン４２mが押されると記録が終了するまでの撮影画像データ群からなる。例えば、ディスクメディア３０には、このビデオクリップが基本単位として記録される。各ビデオクリップにおけるサムネイル画像は、そのビデオクリップの代表画像であり、例えば、記録開始時の最初の画像を適当なサイズに縮小したものである。
【００２８】
インデックス画面２００の中にある枠２０１は、マルチダイヤル４２ｋの回転動作により移動し、押圧動作によりその位置に決定される。即ち、マルチダイヤル４２kの回転動作により枠２０１を移動させることで、ユーザは、各ビデオクリップの中から所望のビデオクリップを選択できる。また、マルチダイヤル４２kの押圧動作により、枠２０１に囲まれたビデオクリップの再生が開始される。再生が終了すると、再生画面はインデックス画面２００に戻る。インデックス画面２００から抜けるには、もう一度インデックスボタン４２eを押せばよい。このような、インデックス画面２００上のビデオクリップを選択して再生する一連の動作は、撮影モードでも可能であり、撮影中でも、撮影を中断することなく実行できる。
【００２９】
デジタルＩ／Ｆ４４は、例えば、ＩＥＥＥ１３９４又はＵＳＢ等の規格に従い信号を授受し、ＩＥＥＥ１３９４又はＵＳＢ等のケーブルを介して、外部装置５０ａに接続する。メモリカード２４は、フラッシュメモリを内蔵する着脱可能な固体メモリ装置であり、撮影画像データ及び音声データを記録可能である。
【００３０】
電源制御部５２は、バッテリ検出回路、ＤＣ−ＤＣコンバータ、及び、通電するブロックを切り替えるスイッチ回路等でからなり、電池の装着の有無、電池の種類及び電池残量を検出する。バッテリ５４はリチウムイオン電池等であり、ビデオカメラ本体１０の各部に必要な電力を供給する。
【００３１】
本実施例の撮影モード、記録モード及び再生モードの基本動作を説明する。
【００３２】
撮影モードでは、被写体の光学像は、レンズ１２により撮像部１４に入射し、レンズ１２は、フォーカスとズームを制御され、撮像部１４に入射する光量を制御する。撮像部４は、入力光学像を電気信号に変換し、カメラ信号処理部１６に出力する。カメラ信号処理部１６は、撮像部１４からの電気信号をデジタル画像信号に変換し、その際、色分離、階調補正及びホワイトバランス調整などの周知のカメラ信号処理を施す。音声信号処理部３４は、マイクロフォン３２により入力される音声信号を所定レベルにゲインコントロールし、デジタル信号に変換して出力する。
【００３３】
圧縮伸長処理部１８は、カメラ信号処理部１６から出力される画像データ及び音声信号処理部３４から出力される音声データを所定の圧縮符号化方式により圧縮符号化する。表示部１２は、液晶パネル１２aとＥＶＦ１２ｂにより構成され、圧縮伸長処理部１８で圧縮符号化の対象となった撮影画像を表示する。また、表示部１２は、必要に応じてビデオカメラ本体１０の動作状況をオンスクリーン・ディスプレイ情報として表示する。
【００３４】
記録再生処理部２０は、圧縮伸長処理部１８から出力される圧縮符号化データにエラー訂正符号化処理及び変調処理等を施し、更に同期コード及びＩＤなどを付加して記録に適した形態に変換した後、ディスクメディア２０又はメモリーカード２４等の記録媒体に記録する。この際、ディスク制御部２８は、ディスクメディア２０の回転とヘッドのシークなどを制御する。また、外力による筐体の揺れ、振動又は衝撃等によりディスクサーボが外れてしまう対策として、ショックプルーフメモリ２６をディスクメディア３０とバス４８の間に配置してある。
【００３５】
再生モードにおいて、ユーザが、操作部４２により再生動作を指示した場合、記録再生処理部２０は、ディスクメディア２０またはメモリーカード２４から読み出したデータを復調及びエラー訂正する。また、記録再生処理部２０は、ＰＬＬ回路により再生データに同期したクロックを生成する。
【００３６】
圧縮伸長処理部１８は、記録再生処理部２０で再生された圧縮符号化データを伸長し、圧縮符号化前の画像データ及び音声データを出力する。表示部１２は、圧縮伸長処理部１８で復元された画像データの画像を表示する。
【００３７】
記録モードで、ユーザが、操作部４２によりデジタルＩ／Ｆ４４からの入力データの記録を指示した場合、ＣＰＵ４０は、デジタルＩ／Ｆ４４により、外部装置４０aからの圧縮画像データ又は圧縮音声データを取り込み、記録再生処理部２０に供給する。記録再生処理部２０は、前述のように、圧縮画像データ又は圧縮音声データに誤り訂正符号化及び変調を施し、ディスクメディア２０又はメモリーカード２４などの記録媒体に記録する。
【００３８】
ユーザが、操作部４２により、入出力部４６からの入力信号の記録を指示した場合、ＣＰＵ４０は、入出力部４６を制御し、外部装置５０ｂから出力される画像信号又は音声信号をデジタルデータに変換して取り込む。取り込まれたデータは、メモリ３６に書き込まれる。ＣＰＵ４０は、このようにしてメモリ３６に記憶された画像データ又は音声データを圧縮伸長処理部１８により圧縮符号化し、圧縮符号化画像データ又は圧縮符号化音声データを記録再生処理部２０に供給する。記録再生処理部２０は、前述の様に、圧縮符号化画像データ又は圧縮符号化音声データを誤り訂正符号化及び変調して、ディスクメディア３０又はメモリカード２４などの記録媒体に記録する。
【００３９】
次に、撮影モードでの本実施例の特徴的な動作を説明する。図６は、本実施例の撮影モード時の処理手順を示すフローチャートである。本実施例では、撮影画像の記録中に、ディスクメディア３０又はメモリカード２４の任意位置に記録されている撮影画像データを再生することが可能である。
【００４０】
まず、撮影を行う際に、ユーザは、モードダイヤル４２ｌにより撮影モードを選択する。撮影モードが選択されると、撮影モード時と再生モード時で異なる機能を割り当て可能なダブルファンクションキー４２ａ〜４２ｄの機能を撮影用機能に設定する（Ｓ１）。トリガーボタン４２mの押圧動作を監視し、トリガーボタン４２ｍが押圧されたか否かを判別する（Ｓ２）。トリガーボタン４２mが押圧されると、記録開始が指示されたと判断され、撮影画像が記録される（Ｓ３）。トリガーボタン４２ｍが押圧されないと、ステップＳ２を繰り返す。
【００４１】
インデックスボタン４２eの押圧動作を監視し、インデックスボタン４２eが押圧されたか否かを判別する（Ｓ４）。インデックスボタン４２eが押圧されていなければ（Ｓ４）、再度、トリガーボタン４２mの押圧動作を監視し、トリガーボタン４２mが押圧されたか否かを判別する（Ｓ５）。トリガーボタン４２mが押圧されたと判別されると（Ｓ５）、記録終了が指示されたと判断され、記録終了処理を行う（Ｓ６）。ステップＳ６において、記録終了処理後、ステップＳ２に戻り、次の記録に備える。
【００４２】
ステップＳ４において、インデックスボタン４２eが押圧されたと判別された場合、電源制御部５２はバッテリ５４の残量を検知する（Ｓ７）。バッテリ５４の残量が少ないと判断された場合（Ｓ７）、液晶パネル２２a又はＥＶＦ２２ｂに警告を表示する（Ｓ８）。警告表示後、ステップＳ４に戻ってインデックスボタン４２eの押圧を監視する。ここで、警告表示としては、例えば、「バッテリ残量が少ないために記録と再生を同時に出来ません」などの警告文を表示する。また、バッテリ５４の残量が少ないと判断される基準としては、例えば、満充電時の１／５等の閾値を設定して判別する。
【００４３】
バッテリ５４の残量が少なくないと判断され（Ｓ７）、記録と再生を同時に行っても差し支えない場合は、ダブルファンクションキー４２ａ〜４２ｄの機能を再生用機能に設定する（Ｓ９）。上述した様に、液晶パネル２２a又はＥＶＦ２２ｂにインデックス画面２００を表示する（Ｓ１０）。インデックス画面２００上で、ディスクメディア２０又はメモリーカード２４内の再生すべきビデオクリップの選択を待つ（Ｓ１１）。ビデオクリップが選択されると、記録と並行して、選択されたビデオクリップの再生を開始する（Ｓ１２）。選択されたビデオクリップの再生終了を待つ（Ｓ１３）。これにより、選択されたビデオクリップの再生画像を液晶パネル２２a又はＥＶＦ２２ｂ上で観ながら、記録をおこなうことができる。
【００４４】
再生が終了すると（Ｓ１３）、ダブルファンクションキー４２ａ〜４２ｄの機能を撮影用機能に戻し（Ｓ１４）、ステップＳ４に戻る。
【００４５】
次に、再生モードでの本実例の特徴的な動作を説明する。図７は、再生モードでの処理手順を示すフローチャートである。本実施例では、ディスクメディア３０又はメモリカード２４の任意位置に記録されている画像データを再生中に、撮影画像を記録できる。
【００４６】
ユーザが、モードダイヤル４２ｌにより再生モードを選択したとする。再生モードが選択されると、ダブルファンクションキー４２ａ〜４２ｄの機能を再生用機能に設定する（Ｓ２０１）。インデックスボタン４２eの押圧動作を監視し、インデックスボタン４２ｅが押圧されたか否かを判別する（Ｓ２０２）。
【００４７】
インデックスボタン４２eが押圧されたと判別されると（Ｓ２０２）、上述した様に、液晶パネル２２a又はＥＶＦ２２ｂにインデックス画面２００を表示する（Ｓ２０３）。インデックス画面２００上で、ディスクメディア３０又はメモリカード２４内の再生すべきビデオクリップの選択を待つ（Ｓ２０４）。ビデオクリップが選択されると（Ｓ２０４）、選択されたビデオクリップの再生を開始する（Ｓ２０５）。再生中、トリガーボタン４２mが押圧されたか否かを判別する（Ｓ２０６）。トリガーボタン４２mが押圧されていなければ（Ｓ２０６）、選択されたビデオクリップの再生終了を待つ（Ｓ２０７）。再生が終了すれば（Ｓ２０７）、ステップＳ２０３に戻り、インデックス画面２００を表示し、次のビデオクリップが選択されるのを待つ。
【００４８】
再生中にトリガーボタン４２mが押圧されたと判別された場合（Ｓ２０６）、電源制御部５２は、バッテリ５４の残量を検知する（Ｓ２０８）。バッテリ５４の残量が少ないと判断された場合（Ｓ２０８）、液晶パネル２２a又はＥＶＦ２２ｂに警告を表示し（Ｓ２０９）、その後、Ｓ２０６に戻ってトリガーボタン４２mの押圧動作を監視する。警告として、例えば、撮影モード時の処理手順で説明したような警告文を表示する。
【００４９】
バッテリ５４の残量が少なくないと判断され（Ｓ２０８）、記録と再生を同時に行っても差し支えない場合は、ダブルファンクションキー４２ａ〜４２ｄの機能を撮影用機能に設定する（Ｓ２１０）。再生と並行して撮影画像の記録を開始する（Ｓ２１１）。トリガーボタン４２mの押圧を監視し、トリガーボタン４２mが押圧されたか否かを判別する（Ｓ２１２）。トリガーボタン４２mが押圧されたと判別されると（Ｓ２１２）、記録終了が指示されたと判断して記録終了処理を行う（Ｓ２１３）。ダブルファンクションキー４２ａ〜４２ｄの機能を再生用機能に戻し（Ｓ２１４）、ステップＳ２０６に戻る。
【００５０】
このように、撮影モードでの再生選択に応じて、ダブルファンクションキー４２ａ〜４２ｄの機能を一時的に撮影用機能から再生用機能に切り替えるようにしたので、撮影モード時にも再生に必要な操作をすることができ、記録媒体に記録されている撮影データをも再生することができる。また、再生モードでの撮影動作の選択に応じて、ダブルファンクションキー４２ａ〜４２ｄの機能を一時的に再生用機能から撮影用機能に切り替えるようにしたので、再生モード時にも撮影に必要な操作をすることができ、撮影画像を記録できる。したがって、撮影用と再生用にそれぞれ専用の操作部を設ける必要がなく、ビデオカメラ本体の小型化及び軽量化を図ることができる。
【００５１】
また、本実施例では、バッテリ残量が少ない時には、記録と再生を同時に行うことを禁止する。記録と再生を同時に行うことによる消費電力増で、直ぐにバッテリ残量がゼロになり、記録と再生のどちらも中途半端な状態で終わってしまうことを防止できる。
【００５２】
ビデオカメラに適用した実施例を説明したが、本発明は、デジタルカメラ又はカメラ一体型ＤＶＤレコーダ等にも適用可能である。
【図面の簡単な説明】
【００５３】
【図１】本発明の一実施例の概略構成ブロック図である。
【図２】本実施例の正面方向（被写体側）から見た斜視図である。
【図３】本実施例の右側面図である。
【図４】本実施例の後方（撮影者側）から見た斜視図である。
【図５】本実施例におけるインデックス画面の説明図である。
【図６】本実施例における撮影モード時の処理手順を示すフローチャートである。
【図７】本実施例における再生モード時の処理手順を示すフローチャートである。
【符号の説明】
【００５４】
１０  ビデオカメラ本体
１２  レンズ
１４  撮像部
１６  カメラ信号処理部
１８  圧縮伸長処理部
２０  記録再生処理部
２２  表示部
２２ａ  液晶パネル
２２ｂ  ＥＶＦ（電子ビューファインダ）
２４  メモリカード
２６  ショックプルーフメモリ
２８  ディスク制御部
３０  ディスクメディア
３２  マイクロフォン
３４  音声信号処理部
３６  メモリ
３８  メモリ制御部
４０  ＣＰＵ
４２  操作部
４２ａ，４２ｂ，４２ｃ，４２ｄ  ダブルファンクションキー
４２ｅ  インデックスボタン
４２ｆ  スライドショーボタン
４２ｇ  マニュアル／オートスイッチ
４２ｈ  デジタルエフェクトボタン
４２ｉ  オン／オフボタン
４２ｊ  メニューボタン
４２ｋ  マルチダイヤル
４２ｌ  モードダイヤル
４２ｍ  トリガーボタン
４４  デジタルＩ／Ｆ（インターフェース）
４６  入出力部
４８  データバス（Ｂｕｓ）
５０ａ，５０ｂ  外部装置
５２  電源制御部
５４  バッテリ
【図１】
2006261953.tif 000003
【図２】
2006261953.tif 000004
【図３】
2006261953.tif 000005
【図４】
2006261953.tif 000006
【図５】
2006261953.tif 000007
【図６】
2006261953.tif 000008
【図７】
2006261953.tif 000009